(57)【要約】  携行式ロケット弾に対抗するためのフレキシブルウエブは少なくとも1つのグリッド(1)を有し、該グリッド(1)上に飛来する弾丸が衝突する。このグリッド(1)は交差した線状体(2)によって形成される。前記線状体(2)が交差する地点では、端部(6)を有する頑丈なコネクタ(3)が設けられる。前記頑丈なコネクタは前記線状体(2)を所定の位置に維持する。前記グリッド(1)へ前記弾丸が衝突する間、前方錐体金属オージャイブ（砲口）で機械的変形が生じ、該変形により発火機構は無力化する。その結果、前記弾丸は標的への衝突の際に発火（爆発）しない。当該フレキシブルウエブは、保護したい静的又は動的標的の外側に設けられる。それによりスタンドオフ間隔（standoff  distance）が保証される。
2010533279.tif 000002
【特許請求の範囲】
【請求項１】
飛来する弾丸が衝突する少なくとも1つのグリッドを有する、携行式ロケット弾に対抗するためのフレキシブルウエブであって、
前記グリッドは交差した線状体で構成される一方で、前記線状体が互いに交差する地点では、端部を有する頑丈なコネクタが設けられ、
前記頑丈なコネクタは、銀の溶接若しくは溶接を用いることによって、又は前記コネクタの背面を動かないようにすることによって、前記線状体を所定の位置に維持する、
ことを特徴とするフレキシブルウエブ。
【請求項２】
前記グリッドの線状体が、2乃至10mmの直径を有し、かつ高強度のカーボンファイバ、及び/又はダイニーマ、及び/又はワイヤロープで作られることを特徴とする、請求項1に記載のフレキシブルウエブ。
【請求項３】
前記グリッドの線状体を保持する頑丈なコネクタが、高比重及び高硬度の材料で作られる、請求項1に記載のフレキシブルウエブ。
【請求項４】
前記コネクタの幅及び高さが6mm乃至30mmである一方で、前記コネクタの深さは最大で30mmとなりうることを特徴とする、請求項1及び3に記載のフレキシブルウエブ。
【請求項５】
前記頑丈なコネクタが該コネクタの背面に対して垂直な端部を有し、
前記端部は、前記コネクタの対称軸である垂直軸上で交差し、かつ
幅は2乃至10mmで、
前記線状体を格納して保持するため、深さは前記線状体の直径の合計よりも少なくとも3mmは大きくて、前記コネクタの深さよりも少なくとも3mmは小さいことを特徴とする、請求項1、3及び4に記載のフレキシブルウエブ。
【請求項６】
前記空間は正方形であって良く、又は前記コネクタ間の間隔及び前記線状体が交差する角度によって、異なった形状であっても良い、請求項1に記載のフレキシブルウエブ。
【請求項７】
前記グリッドの空間が、対向する面又はコネクタの最小間隔を有し、
前記最小間隔は55mmである、
ことを特徴とする、請求項1及び6に記載のフレキシブルウエブ。
【請求項８】
各異なる寸法及び形状で作製することが可能な、請求項1に記載のフレキシブルウエブ。
【請求項９】
動産及び不動産を保護するのに用いられるフレキシブルウエブの利用であって、
前記保護は、前記動産及び不動産を、少なくとも150mmのスタンドオフ間隔で、かつマウント用フレームを用いずにマウント用固定材料を用いて覆うことによって実現される、
ことを特徴とする、フレキシブルウエブの利用。
【発明の詳細な説明】
【技術分野】
【０００１】
本発明は、携行式ロケット弾(RPG)に対抗するのに用いられるフレキシブルウエブに関する。本発明は、携行式ロケット弾による攻撃から、静的又は動的物体及び特に建物-たとえば大使館、政府の建物等-を保護するのに適している。RPGからの特定の標的の保護は、前記特定の標的を本発明のフレキシブルウエブで覆うことによって実現される。
【背景技術】
【０００２】
上記構造物の保護は、弾丸が保護ウエブに衝突すると、その弾丸の運動エネルギーが大きいので、その弾丸の外側金属オージャイブが瞬時に機械的な損傷を受けることによって実現される。
【０００３】
7型のRPGは安価で、入手が容易で、広く普及し、かつ極度に致命傷を与えることのできる武器である。この型のRPGによって標的を攻撃する結果、その標的全部が破壊される。そのためこの型のRPGは主として、自動車、戦車、及びヘリコプターに対して用いられる。
【発明の概要】
【発明が解決しようとする課題】
【０００４】
本発明は、RPGから自動車、ヘリコプター、及び建物を保護することのできるフレキシブルウエブに関する。
【課題を解決するための手段】
【０００５】
本発明のフレキシブルウエブは、該ウエブの動作を助けるための如何なる電子デバイスをも必要とせず、かつ非常に柔軟性がある。そして前記フレキシブルウエブの重さは約4kg/m2未満である。
【０００６】
RPGの保護ウエブは任意の建物の外側表面に非常に容易に設置されるので、高いセキュリティの建物-たとえば大使館、軍事施設、政府建物、工場等-でのテロリストによる攻撃に対する保護にとって理想的である。前記保護ウエブは、保護を必要とする対象物の外側表面上で、かつ小さなスタンドオフ間隔（standoff  distance）で設けられる。そのスタンドオフ間隔は数cmが適切である。
【０００７】
さらに本発明のフレキシブルウエブは軽量でかつ設置が容易であるため、ヘリコプターや全種類の自動車の保護にも用いることができる。
【０００８】
本発明は、フレームを用いることなく、様々な寸法での製造が可能である。本発明のフレキシブルウエブは非常に柔軟性があるため、非常に迅速に巻くこと及び巻いた状態から元に戻すことが可能である。
【０００９】
本発明の実現は簡単であるにも関わらず、多数の（ほぼ）同時のRPG攻撃に対して非常に耐久性がある。しかも本発明のフレキシブルウエブは特徴的な外観を有しているので、敵の武力を集中させるのを非常に困難にしている。
【００１０】
本発明は少なくとも1つのグリッド(1)で構成され、そのグリッド(1)上に飛来する弾丸が衝突する。
【００１１】
保護ウエブのグリッド(1)は線状体(2)によって形成される。線状体(2)の直径は2〜10mmである。線状体が交差する地点では、頑丈なコネクタ(3)が設けられている。それにより線状体は所定の位置で保持される。
【００１２】
好適には、線状体(2)の製造に適した材料は、金属、可変強度の金属列、合金、若しくは高破壊強度の合成材料（たとえばカーボンファイバ、及び/又はダイニーマ、及び/又はスチールロープ）、又は上記材料の結合である。
【００１３】
本発明の保護ウエブは、前記グリッドのメッシュ(4)の空間が55mm未満とはならないように設計される。特にそのような空間は正方形又は長方形の形状を有して良いが、他の形態及び形状も可能である。
【００１４】
グリッド(1)の線状体(2)を保持する頑丈なコネクタ(3)は、高い比重及び硬度の材料で作成されて良い。
【００１５】
線状体(2)を保持する頑丈なコネクタ(3)の最小可能寸法は6mmで、最大可能寸法は30mmである。
【００１６】
本発明は、RPGによって標的とされる、多くの動産及び不動産、自動及び遠隔制御の構造物、建物、並びに軍事及び民生施設を容易かつ迅速に保護するのに必要である。本発明はまた、武装又は非武装車両、飛行機、ボート、及び窓ガラスをRPGによる攻撃から保護するのにも用いられる。保護したい標的を破壊するのに用いられるために発射された、致命傷を与えうるRPG7弾丸を、ある程度安全な状態で機械的に破壊するのに、本発明が必要である。
【００１７】
RPG7のウエブ保護は、RPG7の弾丸衝突に対する保護シールドのように作用し、NADER型等の弾丸に対するもののようには作用しない。
【００１８】
上述の結果は、線状体(2)が互いに交差する地点では、頑丈なコネクタ(3)がグリッド(1)の線状体(2)を所定の位置に保持するだけでなく、弾丸のオージャイブが当該ウエブに衝突する際に機械的に損傷するように設けられる。この結果、弾丸の活性化が防止される。換言すると、弾丸が標的を覆う当該ウエブに衝突するとき、その弾丸は活性化されない。
【００１９】
本発明によるRPGに対抗するための保護ウエブは多くの利点を有する。
【図面の簡単な説明】
【００２０】
【図１】本発明に係るフレキシブルウエブを概略的に図示している。
【発明を実施するための形態】
【００２１】
当該ウエブは、上記の結果を実現するために、爆発性物質、化学物質、若しくは毒性物質、レーザービーム、核エネルギー、電気エネルギー、任意の種類の放出された高周波、又は他の種類の電磁放射線を用いない。当該ウエブの利用は安全で、かつ意図しない障害や付随する損害を起こす危険性も存在しない。
【００２２】
本発明のウエブの機能は電子デバイスを必要としない。従って本発明は使用するのが非常に単純である。
【００２３】
本発明によるシステムの単純な機能が保証されることで、RPG7による標的への攻撃の破壊的で致命的な結果に対して、当該ウエブによって覆われる人間及び資産の全体が保護される。
【００２４】
本発明は、実効性を失うことなく、数発のRPGに対して耐える能力を有する。
【００２５】
しかも当該フレキシブルウエブは透明である。そのため、当該フレキシブルウエブが覆う対象物内部-たとえば車内-にいる人々は外を見ることができる。
【００２６】
本発明をさらに単純にするため、本発明のフレキシブルウエブの設計及び作製は、具体的な用途に従って、複数の形状及び寸法で生産できるように行われて良い。
【００２７】
当該保護ウエブの設置及び保護されるべき構造物からの取り外しは、専門の職員又は多くの人々の関与がなくても容易に行われる。
【００２８】
発射後のRPGは、非常に大きな運動量を有しているので、当該ウエブに衝突する際には、大きな力を有している。その結果、線状体を保持する頑丈なコネクタ、及びその線状体自体も、弾丸のオージャイブの機械的破壊を生じさせる。弾丸の金属オージャイブが当該ウエブに接触する地点に印加される力は、それらの地点でのオージャイブを直接圧縮させる。その結果、弾丸の主要部の破壊が実現し、また円錐形のくぼみ（hollow  charge）の破壊、及び、起爆命令を圧電性結晶-弾丸先端部に設けられている-から起爆装置へ転送する導体の破壊も実現する。このようなことが実現される理由は、圧電性結晶が設けられた弾丸先端部が当該ウエブの空間に入り込むため、つまり前記弾丸は起爆する前に不活性となるためである。
【００２９】
金属製弾丸のオージャイブが変形する結果、圧電性結晶によって生成される起爆装置を起動するために必要な電気エネルギーを輸送する導体が短絡する。そのようにして、弾丸の円錐形のくぼみの起爆及びその使用によって生じる致命的な結果が回避される。
【図１】
2010533279.tif 000003
【国際調査報告】
2010533279.tif 000004
2010533279.tif 000005